(57)【要約】【課題】投射画面に表示する画像によっては、縦に長い場合の方がバランスがよく都合の良い場合いもある。人の立位画像などは縦に長い画像表示の方が画面に対してバランスよく投射できる。【解決手段】映像信号を再生した画像を前面から投射するように光学系本体が組み込まれたビデオプロジェクタ−本体と、ビデオプロジェクタ−本体に光学系本体から出射した投射映像の方向を折り曲げる位置に取り付けられた仰角ミラーとを設け、光学系本体から出射した長方形形状投射映像の短軸に平行な軸に回動自在に取り付けられられ、長方形形状投射映像の短軸と仰角ミラーに反射されスクリーンに投射された長方形形状の投射映像の短軸が互いに平行になるように仰角ミラーを配置することにより、縦長表示に適した投射画像を表示することができる。【選択図】　図２
2004053976.tif 000002
【特許請求の範囲】
【請求項１】
長方形形状の投射画面の長軸が床面に対して略垂直になるように投射することを特徴とする投射型ビデオプロジェクタ−。
【請求項２】
映像信号を再生した画像を前面から投射するように光学系本体が組み込まれたビデオプロジェクタ−本体と、ビデオプロジェクタ−本体に前記光学系本体から出射した投射映像の方向を折り曲げる位置に取り付けられた仰角ミラーとを設け、前記光学系本体から出射した長方形形状投射映像の短軸と前記仰角ミラーに反射されスクリーンに投射された長方形形状の投射映像の短軸が互いに平行になるように前記仰角ミラーを配置した構成であることを特徴とする投射型ビデオプロジェクタ−。
【請求項３】
映像信号を再生した画像を前面から投射するように光学系本体が組み込まれたビデオプロジェクタ−本体と、ビデオプロジェクタ−本体に前記光学系本体から出射した投射映像の方向を折り曲げる位置に取り付けられた仰角ミラーとを設け、前記仰角ミラーは前記光学系本体から出射した長方形形状投射映像の短軸に平行な軸に回動自在に取り付けられられたことを特徴とする投射型ビデオプロジェクタ−。
【請求項４】
ビデオプロジェクタ−本体を床面あるいは床面に平行な面に載置し、前記光学系本体から上方向に出射した長方形形状投射映像を前記仰角ミラーにより折り曲げて長方形形状投射映像の長軸が床面に略垂直になるようにすることを特徴とする投射型ビデオプロジェクタ−。
【請求項５】
映像信号を±９０度回転させる映像信号回転手段と、前記映像信号回転手段を介して投射する第１の状態と映像信号回転手段を介さずに投射する第２の状態とに切り換える選択手段と前記ビデオプロジェクタ−本体内に備えることを特徴とする請求項２〜４記載の投射型ビデオプロジェクタ−。
【発明の詳細な説明】
【０００１】
【発明の属する技術分野】
本発明は投射型ビデオプロジェクタ−に関するものである。
【０００２】
【従来の技術】
図７は、従来の床置き載置した投射形ビデオプロジェクタ−とスクリーンを示した図であり、図８は従来の床置き載置した仰角ミラーによる投射形ビデオプロジェクタ−とスクリーンを示した図である。
【０００３】
図７に示すように従来の投射型ビデオプロジェクタ−には、プロジェクタ−１の前面に設けたスクリーン８に画像を投射する前面投射型と、透過型スクリーンに画像は投射し、投射面とは反対面から画像を鑑賞する背面投射型のプロジェクタ−（図示せず）などが存在している。
【０００４】
従来の前面投射型ビデオプロジェクタ−の使用形態は、図７に示すようにテーブル１２の上に載置してスクリーン８に投射して使用されているのが現状である。
【０００５】
あるいは図８に示すように床面に載置して仰角ミラー３で投射画像を折り曲げスクリーン８に投射して使用されているものが特開平１０−２６０４７３号に紹介されている。
【０００６】
いずれの場合も投射画像は縦横比が例えば４：３あるいは１６：９などの長方形形状の横長（長方形形状の投射画像の短軸がプロジェクタ−載置面に略垂直）で投射されている。
【０００７】
【発明が解決しようとする課題】
本来、２つの目で見る人の視野は縦より横に長く、一般にその縦横比は縦：横＝１６：９が最適とされているため、投射型プロジェクタ−を含む画像表示装置は極普通には横長表示のものが使用される。
【０００８】
しかし、表示するものによっては縦長表示の場合の方がバランスがよく、都合の良い場合いもある。例えばブライダル産業用途で、立った人を画面に合わせて投射表示する場合、ファッションデザイン用途でコンピュータ画像を用いて等身大のモデル画像を投射表示する場合、つまり人の立位画像などは縦に長い画像表示の方が画面にバランスよく投射できる。
【０００９】
本発明は、ビデオプロジェクタ−本体に仰角ミラーを設け光学系本体から出射した長方形形状投射映像の長軸が縦方向になるように投射する投射型ビデオプロジェクタ−を提供することを目的とする。
【００１０】
【課題を解決するための手段】
本発明の第１の投射型ビデオプロジェクタ−は、長方形形状の投射画面の長軸が床面に対して略垂直になるように投射することを特徴とする。
【００１１】
この本発明によると、縦長表示に適した投射画像を表示することが可能である。
【００１２】
本発明の第２の投射型ビデオプロジェクタ−は、映像信号を再生した画像を前面から投射するように光学系本体が組み込まれたビデオプロジェクタ−本体と、ビデオプロジェクタ−本体に前記光学系本体から出射した投射映像の方向を折り曲げる位置に取り付けられた仰角ミラーとを設け、前記光学系本体から出射した長方形形状投射映像の短軸と前記仰角ミラーに反射されスクリーンに投射された長方形形状の投射映像の短軸が互いに平行になるように前記仰角ミラーを配置した構成であることを特徴とする。
【００１３】
この本発明によると、縦長表示に適した投射画像を表示することが可能である。
【００１４】
本発明の第３の投射型ビデオプロジェクタ−は、映像信号を再生した画像を前面から投射するように光学系本体が組み込まれたビデオプロジェクタ−本体と、ビデオプロジェクタ−本体に前記光学系本体から出射した投射映像の方向を折り曲げる位置に取り付けられた仰角ミラーとを設け、前記仰角ミラーは前記光学系本体から出射した長方形形状投射映像の短軸に平行な軸に回動自在に取り付けられられたことを特徴とする。
【００１５】
この本発明によると、縦長表示に適した投射画像を表示することが可能である。
【００１６】
本発明の第４の投射型ビデオプロジェクターは、ビデオプロジェクタ−本体を床面あるいは床に平行な面に載置し、前記光学系本体から上方向に出射した長方形形状投射映像を前記仰角ミラーにより折り曲げて長方形形状投射映像の長軸が床面に略垂直になるようにすることを特徴とする。
【００１７】
この本発明によると、通常は横長表示する投射型ビデオプロジェクターを縦長表示する投射型ビデオプロジェクターとしても使用可能となる。
【００１８】
本発明の第５の投射型ビデオプロジェクターは、映像信号を±９０度回転させる映像信号回転手段と、前記映像信号回転手段を介して投射する第１の状態と映像信号回転手段を介さずに投射する第２の状態とに切り換える選択手段と前記ビデオプロジェクタ−本体内部に備えることを特徴とする。
【００１９】
この本発明によると、通常は横長表示する投射型ビデオプロジェクターを縦長表示する投射型ビデオプロジェクターとしても使用可能となる。
【００２０】
【発明の実施の形態】
（実施の形態１）
図１は本発明の実施の形態１の床置き載置した投射形ビデオプロジェクタ−の斜視図であり、図２は本発明の実施の形態１の床置き載置した投射形ビデオプロジェクタ−の側面図（ａ）、正面図（ｂ）、正面図（ｂ）から見た放電ランプ図（ｃ）、図３は本発明の実施の形態１の床置き載置した投射形ビデオプロジェクタ−とスクリーンを示した図である。
【００２１】
以下、本発明の実施の形態１について図１〜図３に基づいて説明する。
【００２２】
図１（ａ）、（ｂ）において、１はビデオプロジェクタ−本体、２は投射レンズ、３はビデオプロジェクタ−本体に回動自在に取り付けられた仰角ミラーである。
【００２３】
図２において、４は光源である放電ランプ、５は放電ランプの射出光を集光する反射鏡、６は集光光を折り曲げる平面鏡、７は液晶表示パネルであり、また、１はビデオプロジェクタ−本体、２は投射レンズ、３は仰角ミラーで図１と共通部分については同一符号を付している。
【００２４】
また、８は投射画像を表示するスクリーンである。
【００２５】
放電ランプ４からの射出光は反射鏡５で集光され、平面鏡６で折り曲げられ液晶表示パネル７を照射する。液晶表示パネル７には映像信号に基づいて照射光を変調するもので、液晶表示パネル駆動回路（図示せず）が接続されている。液晶表示パネル７上に形成された表示画像は投射レンズ２で拡大され仰角ミラー３で折り曲げられてスクリーン８に拡大投射される。９は長方形形状の液晶表示パネルの長軸、１０は長方形形状の液晶表示パネルの短軸であり、長軸９がスクリーン８に対して図では上下方向になるように投射される。換言すれば、長軸９に平行な矢印（←）がスクリーン８上では図のようになるように（↑）投射される。
【００２６】
図２（ｂ）、（ｃ）において、１１は投射レンズの光軸であり、また、１２は光源である放電ランプ４と反射鏡５で形成する集光光の軸であり、軸１２が重量Ｇと直交するように放電ランプ４はビデオプロジェクター１の中に配置される（理由は後述）。
【００２７】
図３は床置きされた本発明の投射型ビデオプロジェクタ−とスクリーンを示した図であり、従来例、図８に対してスクリーン上の投射画像は縦長表示になるように投射される。
【００２８】
なお、図３では投射面側の画像を鑑賞する場合を示したが、透過型スクリーンを用いて投射面側とは反対面の画像を鑑賞する背面投射も可能である。
【００２９】
（実施の形態２）
図４は投射形ビデオプロジェクタ−を投射レンズ光軸に対して９０度回転させて載置した図であり、図５は放電ランプの一つであるメタルハライドランプと反射鏡の断面図である。
【００３０】
以下、実施の形態２について図４〜図５に基づいて説明する。
【００３１】
図４のように、投射型ビデオプロジェクタ−本体を図７のような載置に対して単純に投射レンズの光軸を中心に９０度回転させて机上に載置することでも縦長表示の投射画像を鑑賞することも可能である。
【００３２】
上記の実施の形態の放電ランプ４として、電極間でアーク放電させるメタルハライドランプを使用した場合には、高輝度と良好な分光特性と長寿命化を得ることができるが、その反面、図４のような姿勢の使用状態であるビデオプロジェクターでは、重力の影響でアーク放電の形状が変化して、投射性能が変化することが考えられる。従って図４のような載置での縦長表示の投射は好ましくなく、図３、図８のように床置き載置し、仰角ミラーで投射画像を折り曲げた方が放電ランプには良好な条件となる。
【００３３】
図５は電極間でアーク放電させるメタルハライドランプと反射鏡の断面図である。反射鏡５に対してメタルハライドランプ４ａは、反射鏡５の光軸１１上に電極４ｂ，４ｃが並ぶように取り付けられている。
【００３４】
ビデオプロジェクター本体１の内部には、放電電極４ｂ，４ｃの対向方向が重力方向Ｇと直交する方向になるように配置するとともに、投射レンズ２と放電ランプ４，反射鏡５との間の光路系が、投射レンズ２の光軸１０に対して放電ランプ４と反射鏡５で形成する集光光の軸１２が直交するように配置されている。
【００３５】
このように投射レンズの光軸１１と放電ランプ４と反射鏡５で形成する集光光の軸１２が直交するように構成することで、ビデオプロジェクター本体１の載置姿勢が図３，図７のいずれの姿勢であっても軸１２、つまり放電ランプ４の放電電極４ｂ，４ｃの対向方向が重力方向Ｇと直交することになる。
【００３６】
（実施の形態３）
図６は液晶表示パネル駆動回路と投射画像±９０度回転手段を含むブロック図である。
【００３７】
以下、実施の形態３について図６に基づいて説明する。
【００３８】
従来例の図７のように横長表示の投射画像であったり、実施例図３のように縦長表示の投射画像であったりした場合には、液晶表示パネルを駆動する映像信号を±９０度回転させる機能をプロジェクター本体に持たせることが好ましい。
【００３９】
本願発明の投射型ビデオプロジェクターは、映像信号を±９０度回転させる±９０度映像信号回転手段と、この±９０度映像信号回転手段を介して投射する第１の状態と±９０度映像信号回転手段を介さずに投射する第２の状態とに切り換える選択手段とを備えることで通常は横長表示する投射型ビデオプロジェクターを縦長表示する投射型ビデオプロジェクターとしても使用可能となる。
【００４０】
図６に示すように外部から入力された映像信号を、±９０度映像信号回転手段１３を介して液晶表示パネル駆動回路１４、液晶表示パネル７に信号を供給して液晶表示パネル７上での画像を±９０度回転させている。±９０度映像信号回転手段１３の出力と液晶表示パネル駆動回路１４の入力との間に介装されている選択手段１５は、図７に示す使用形態の場合には±９０度映像信号回転手段１２を通過していない映像信号を直接液晶表示パネル駆動回路１４に供給するように切り換えて使用される。
【００４１】
映像信号を±９０度回転させる機能は、映像信号のディジタル信号処理技術により容易に実現可能であり、本願明細書では詳しい説明は省略する。
【００４２】
なお、文面全体を通して、「縦」「横」は重力方向に対して略平行方向を「縦」、直交する方向を「横」、「床面」は「横」同様、重力方向に対して直交する方向として記載している。
【００４３】
また、「長軸」「短軸」は、長方形の対称軸のうち長方形の長辺に平行な対称軸を「長軸」、短辺に平行な対称軸を「短軸」、「縦長」「縦長表示」は長方形または長方形形状の投射画像の長軸が床面に略垂直、「横長」「横長表示」は長方形または長方形形状の投射画像の短軸が床面に略垂直、「上方向」は床面に略垂直で重力とは反対方向であることを意味する。
【００４４】
【発明の効果】
以上のように本発明によると、ビデオプロジェクタ−本体に仰角ミラーを設け、光学系本体から出射した長方形形状投射映像の長軸が床面に対して略垂直になるように、つまり縦長表示になるように画像投射する投射型ビデオプロジェクタ−を提供することが可能であり、縦長表示に適した投射画像を表示することができる。
【図面の簡単な説明】
【図１】本発明の実施の形態１の床置き載置した投射形ビデオプロジェクタ−の斜視図
【図２】本発明の実施の形態１の床置き載置した投射形ビデオプロジェクタ−の
（ａ）側面図
（ｂ）正面図
（ｃ）正面図から見た放電ランプの図
【図３】本発明の実施の形態１の床置き載置した投射形ビデオプロジェクタ−とスクリーンを示した図
【図４】投射形ビデオプロジェクタ−を投射レンズ光軸に対して９０度回転させて載置した図
【図５】メタルハライドランプと反射鏡の断面図
【図６】液晶表示パネル駆動回路と投射画像±９０度回転手段を含むブロック図
【図７】従来の床置き載置した投射形ビデオプロジェクタ−とスクリーンを示した図
【図８】従来の床置き載置した仰角ミラーによる投射形ビデオプロジェクタ−とスクリーンを示した図
【符号の説明】
１　ビデオプロジェクター本体
２　投射レンズ
３　仰角ミラー
４　放電ランプ
４ａ　メタルハライドランプ
４ｂ，４ｃ　電極
５　反射鏡
６　平面鏡
７　液晶表示パネル
８　スクリーン
９　液晶表示パネル長軸
１０　液晶表示パネル短軸
１１　投射レンズの光軸
１２　放電ランプ、反射鏡で形成する集光光軸
１３　±９０度映像信号回転手段
１４　液晶表示パネル駆動回路
１５　選択手段
１６　テーブル
【図１】
2004053976.tif 000003
【図２】
2004053976.tif 000004
【図３】
2004053976.tif 000005
【図４】
2004053976.tif 000006
【図５】
2004053976.tif 000007
【図６】
2004053976.tif 000008
【図７】
2004053976.tif 000009
【図８】
2004053976.tif 000010